(57)【要約】【構成】  読み取り画像の両面プリントなどの出力時に、１ページ分の領域で、表面と裏面及びめくる状態を動的にプレビューする。【効果】  ユーザは、ＬＣＤ上で表面と裏面とをそれぞれ確認した後に出力できる。表面から裏面、あるいは裏面から表面へのめくる状態も動的にプレビューするので、プリント後の原稿を実際にめくりながら見るようにリアルな状態での確認ができる。さらに、これらのプレビューはＬＣＤ上の１ページ分の領域で確認できる。【選択図】    図５
2010167698.tif 000002
【特許請求の範囲】
【請求項１】
画像を取得する画像取得部と、前記取得した画像から表示画像を生成する画像生成部と、生成した画像を表示する画像表示部とを備えた画像処理装置において、
前記画像表示部に画像の１ページ分を表示し、
前記画像表示部に表示中の第１の画像の裏面としての第２の画像を、左右方向あるいは上下方向のいずれか片方から他方へスライドさせて、前記第１の画像に入れ替わるように動的に表示するように構成した、画像処理装置。
【請求項２】
前記第２の画像のスライドと共に、前記スライド方向とは反対方向に、前記第１の画像をスライドし、
前記第１の画像あるいは第２の画像が所定位置に達した後は、前記第１の画像を表示せず前記第２の画像をスライドしながら表示し、
前記第２の画像を１ページ分表示するまで該スライドを継続するように構成したことを特徴とする、請求項１に記載の画像処理装置。
【請求項３】
前記第２の画像について、該画像のスライド方向とは反対側の端部の画像に、所定の幅で影を付加するように表示したことを特徴とする、請求項２に記載の画像処理装置。
【請求項４】
画像を取得する画像取得部と、前記取得した画像から表示画像を生成する画像生成部と、生成した画像を表示する画像表示部とを備えた画像処理装置のプログラムにおいて、
前記画像処理装置に、
前記画像表示部に画像の１ページ分を表示する機能と、
前記画像表示部に表示中の第１の画像の裏面としての第２の画像を、左右方向あるいは上下方向のいずれか片方から他方へスライドさせて、前記第１の画像に入れ替わるように動的に表示する機能と、を実行させる、画像処理装置のプログラム。
【発明の詳細な説明】
【技術分野】
【０００１】
この発明は、画像処理装置とそのプログラムとに関し、特にＬＣＤ（Liquid Crystal Display）などのモニタのプレビュー画面上で、両面プリントなどでの表面と裏面とを確認することに関する。
【背景技術】
【０００２】
記録媒体端部に回転軸Ｘが有り、Ｘ軸を基準に表裏を回転するプレビュー装置が知られている。この場合、プレビュー画面には表面あるいは裏面の一面のみが表示される（特開２００６−１９２５８０）。
また、ページの下方角部をめくり返し画像とし、めくり返し部分にその裏面をプレビュー表示することが知られている。しかし、プレビューは静止画で表示され、ページめくりの様子は動画では表示されない（特開２００８−１７９０３７）。
両面プリント時などに、長辺とじ、短辺とじなどをユーザは指示できるが、その出力結果がユーザの所望通りに得られるかを出力前に確認したい。出力前のプレビューでは、表面あるいは裏面のいずれかがそれぞれ表示され、また動的な表示であってもめくる様子などがリアルでないので、実際の出力結果を簡単には予測できない。
【先行技術文献】
【特許文献】
【０００３】
【特許文献１】特開２００６−１９２５８０
【特許文献２】特開２００８−１７９０３７
【発明の概要】
【発明が解決しようとする課題】
【０００４】
この発明の課題は、画像の出力前に両面プリントなどの出力結果を動的にプレビューして、ユーザの所望通りに出力できるかを容易に確認できるようにすることにある。
【０００５】
この発明での追加の課題は、動的なプレビュー画像をリアルに表現することにある。
【課題を解決するための手段】
【０００６】
この発明の画像処理装置では、画像を取得する画像取得部と、前記取得した画像から表示画像を生成する画像生成部と、生成した画像を表示する画像表示部とを備えた画像処理装置において、前記画像表示部に画像の１ページ分を表示し、前記画像表示部に表示中の第１の画像の裏面としての第２の画像を、左右方向あるいは上下方向のいずれか片方から他方へスライドさせて、前記第１の画像に入れ替わるように動的に表示する。
この発明では、画像を表示するための領域を１ページ分とし、この領域に、表示中の画像の裏面を所定方向にスライドして表示するようにし、画像をめくって裏返す様子を動的に表示する。
【０００７】
好ましくは、前記第２の画像のスライドと共に、前記スライド方向とは反対方向に、前記第１の画像をスライドし、前記第１の画像あるいは第２の画像が所定位置に達した後は、前記第１の画像を表示せず前記第２の画像をスライドしながら表示し、前記第２の画像を１ページ分表示するまで該スライドを継続することを特徴とする。
裏面である第２の画像をスライドすると共に、これとは逆方向に、表示中の第１の画像をスライドする。表示中の画像もスライドさせると、表面をめくって裏面が現てくる様子をより一層リアルにプレビューできる。ここで、それぞれのスライド速度は一定であることが好ましい。また、表面として表示中の画像あるいはその裏面の画像がスライドして所定位置に達した後は、裏面の画像だけをスライドしながら表示し、裏面１ページ分の表示になるまで継続して表示し、表示中の画像から裏面の画像へ移り変わる様子を示す。
【０００８】
また好ましくは、画像のスライド方向とは反対側の端部の画像に、所定の幅で影を付加するように表示する。第２の画像が現れてスライドするときに、スライド方向とは反対側の端部、すなわち新たに画像が現れる部分は、所定の幅で影部分を付加するように表示して、ページをめくって湾曲する様子を表示することが望ましい。
【０００９】
この発明の画像処理装置のプログラムは、画像を取得する画像取得部と、前記取得した画像から表示画像を生成する画像生成部と、生成した画像を表示する画像表示部とを備えた画像処理装置のプログラムにおいて、前記画像処理装置に、前記画像表示部に画像の１ページ分を表示する機能と、前記画像表示部に表示中の第１の画像の裏面としての第２の画像を、左右方向あるいは上下方向のいずれか片方から他方へスライドさせて、前記第１の画像に入れ替わるように動的に表示する機能とを実行させる。
【発明の効果】
【００１０】
画像の両面プリントなどの出力前に出力結果を動的にプレビューするので、ユーザは、両面プリントなどでの表面と裏面への画像の配置や、表面から裏面へページをめくる様子を動的に捉えることができる。また１ページ分の領域内で、ページを表面から裏面へとめくる様子をプレビューできるので、表面と裏面とを同時に見ることができる。例えば表面から裏面へとめくるときに、表面の一部に裏面の端部から見えてくる様子を１ページ内で動的に連続して見ることができる。裏面から表面へめくる場合も同様である。画像の出力は、プリント以外に保存や転送などがあり、両面プリントの形式で保存され、転送される。
【００１１】
１ページ分の領域内で表裏をめくる一連の動作を連続的に表示できる。そのため小さなＬＣＤであっても、表面から裏面へのプレビュー表示ができる。
【００１２】
またさらに、画像のスライド方向とは反対側の端部に所定の幅で影を付加すると、ユーザはめくる状態をリアルに捉えることができ、出力結果が分りやすい。
【図面の簡単な説明】
【００１３】
【図１】実施例の複合機の構成を示す図
【図２】実施例の、表面と裏面の画像をプレビューするための画像表示プログラムの構成を示すブロック図
【図３】実施例での、両面のプレビュー画像を表示画面へ表示する様子を示す図
【図４】実施例でのとじ位置とめくる方向との関係を示す図
【図５】実施例の、左とじの原稿を表面から裏面へめくる場合のプレビュー画像を示す図
【図６】実施例の、上とじの原稿を表面から裏面へめくる場合のプレビュー画像を示す図
【図７】実施例の表示画面上での、表面と裏面との表示領域の関係を示す図
【図８】実施例のプレビュー画面上での、めくられた部分に付加する影を示す図
【図９】変形例のＬＣＤ上での、プレビュー画像とサムネイル画像とを示す図
【発明を実施するための形態】
【００１４】
以下に、発明を実施するための最適実施例を示す。
【実施例】
【００１５】
図１〜図９に、実施例を示す。図１に、画像処理装置としての複合機２の構成を示す。複合機２は、読み取りあるいは受信した原稿の画像を自機でプリントし、あるいはネットワークスキャナとして他機へと送信などする。また複合機２は、公衆電話回線網（ＰＳＴＮ）に接続され、Ｇ３ファクシミリとして機能し、またＬＡＮ４を介してメールサーバ６及びルータ８等と接続され、メールサーバ６及びルータ８を介してインターネット１０と接続して電子メール等の送受信を行う。１２は、ＬＡＮ４に接続されたパーソナルコンピュータ等の通信端末装置で、１４は、ＬＡＮ４に接続されたプリンタである。
【００１６】
図１において、２０は主制御部で、２２はＬＡＮインターフェース、２４はＧ３ファクシミリ機能処理部で、公衆電話回線網（ＰＳＴＮ）を介し、Ｇ３ファクシミリ等の送受信などを行う。２６はインターネットファクシミリ機能処理部で、例えば電子メール形式でインターネットファクシミリの送受信を処理する。２８はネットワークススキャナ機能処理部で、３０はネットワークプリンタ部、３２はコピー機能処理部である。また３４はタッチパネルで、ＬＣＤ等の表示部３５と入力部３６とを備え、画像を表示すると共にユーザの入力を受付ける。
【００１７】
３８は画像の取得部で画像を読み取りあるいは受信し、取得した画像を画像記憶制御部４０の制御によりＲＡＭ４４の画像メモリに記憶する。画像メモリから読み出した画像を両面プリントする場合に、画像生成部４２は、表面と裏面との表示、及び表面から裏面、または裏面から表面へめくる様子を動的に表示するための画像を生成してＬＣＤ３５に表示する。表示画像は、画像メモリから読み出した画像から生成するほか、例えばスキャンした画像からそのまま生成しても良い。また、読み取り画像及び受信した画像のほか、画像メモリなどにすでに記憶済みの画像を両面プリントする場合などにも、この記憶済みの画像から表示画像を生成しても良い。両面プリント対象の表面、裏面のプレビュー画像は、複合機２のＬＣＤ３５で表示するほかに、ＬＡＮ４に接続するパーソナルコンピュータ１２のＬＣＤ及びＣＲＴなどに表示しても良い。
【００１８】
ＲＡＭ４４は、取得した画像及びその他のデータを記憶する。またＲＯＭ４６は、複合機２に必要なプログラムを記憶し、特に両面プリント時にプリント対象の画像を表面と裏面としてそれぞれ表示すると共に、めくる様子を動的に表示するために必要なプログラム５０を記憶する。
【００１９】
図２に、両面プリント時のプレビュー表示のためのプログラム５０の概要を示す。プレビュー画像の表示プログラム５０はＣＤ−ＲＯＭなどの媒体に記憶され、複合機２及びパーソナルコンピュータ１２などで実行され、複合機２のＬＣＤ３５に表面と裏面、及びめくる途中の表面と裏面との画像を表示する。めくりの動的な表示はユーザの入力を受付けて開始し、めくる方向はとじ位置を考慮して決定する。また好ましくはプリント対象の画像をサムネイルで表示して、プレビュー画像の選択をユーザが行えるようにする。このプログラム５０は、ユーザによるプレビュー画像の選択及びめくりを指示する入力を受付けるための命令５２と、表面と裏面とめくり途中のプレビュー画像を生成し、表示するための命令５４と、プリント対象の画像をサムネイル表示するための命令６２とで構成されている。プレビュー画像を生成し、表示するための命令５４は、さらに表面と裏面とのプレビュー画像を生成して表示するための命令５６と、動的な表示を行うための画像を生成して表示するための命令５８と、めくり動作中でのめくりの部分に影を付加するなどのレンダリングを施す影の付加命令６０とで構成されている。
【００２０】
図３に、実施例のＬＣＤ３５の表示部中の表示画面７０に、指定ページの表面と裏面との画像を表示する場合を示す。図において、表面は１／２，裏面は２／２として示す。表示画面７０は、ＬＣＤ３５の表示領域において１ページ分の面積の画像だけを表示するためのクリップ領域である。ここでプリントする原稿６４を左とじとすれば、表面６６の右端部をめくって裏面６８へ裏返す様子を、ＬＣＤ３５の表示画面７０上で表示させる。まず表示画面７０に、原稿の表面の画像７２を表示する。そして裏面の画像７４を表示する場合、ユーザが画像７２へタッチして表面の画像７２を右方向へ一定速度でスライドさせ、このスライドに伴い裏面の画像７４を左端部より左方向へと同じ速度でスライドさせるように、表示画面７０上へ表示する。めくり領域７６には裏面の左部分を表示して、表面の右部分がめくれてその裏面が見えていることを表し、表面と、表面の右部分の裏面とを同時に表示する。めくり領域７６の左方向へのスライド距離は、表面の画像７２の右方向へのスライド距離に対応させ、表面７２が右方向へスライドして生じた空白の領域７８の面積がめくり領域７６の面積よりも小さくなるように表示して、めくりの実際のイメージに近いように表現する。すなわち、表面の画像７２を右方向へスライドさせながら、スライドさせた面積に対応する面積の裏面の画像７４を左にスライドさせて表示する。
【００２１】
裏面の画像７４の左端部が表示画面７０の左端部に重なった時点で裏面の画像７４の全体を表示している。このように原稿１枚分の面積の表示画面７０に、表面と裏面の画像７２，７４とめくり途中の画像とを表示する。右とじの原稿を表面から裏面にめくるときは、これとは逆に、表面の画像７２を左方向へスライドし、裏面へめくって裏面の画像７４の右端部が右方向へスライドして、表面の画像７２の左部分から順次右方向へ覆うように表示する。
【００２２】
また左とじの原稿を裏面から表面へめくる場合も、裏面の画像７４が左方向へスライドすると共に表面の画像７２の右端が右方向へスライドして現れるように表示して、左とじの原稿（裏面から表面に返すときは右とじになる）を裏面から表面にめくるように表現する。
【００２３】
裏面から表面へのめくり時にとじ位置を考慮せずに表示する場合は、表面から裏面へのめくり時と同じ方向に画像をスライドしても良い。すなわち左とじの場合、表面から裏面へであっても、裏面から表面へであっても、表示している画像を右方向へスライドし、その反対面の画像を左方向へスライドさせて裏返してめくる様子を表示する。
【００２４】
図４に、とじ位置とめくる方向との関係を示す。とじ位置を考慮せずにめくり動作を表示する場合、画像を生成して表示する処理は簡単である。しかし実際のめくりに近いイメージでの表示を行う場合は、とじ位置を考慮してめくる方向を決定する。図に示すように、とじ方向は主として長辺とじと短辺とじとがあり、さらに例えば長辺とじの左とじと右とじとではめくる方向が逆で、裏面から表面に返すときの表示は表面から裏面へのめくり時とは逆方向になる。長辺左とじ、裏面から表面へめくる場合の、表示する画像のパターン８０と８２とを示す。パターン８０と８２とはいずれも左とじであるが、パターン８０ではとじ位置に従い、裏面から表面へのめくりでは右方向にめくる様に表示する。一方、左とじの原稿の場合でも、表面から裏面、裏面から表面へのめくりの方向を同じ（左方向）としたのがパターン８２である。この場合、裏面から表面へのめくりを左方向に行うので、実際のとじ位置を無視して表示する。同様に、長辺右とじのめくりのパターンを８４，８６に示す。この場合も、実際の原稿をめくるときは表面から裏面へ右めくりし、裏面から表面へ返すときは左めくりする（パターン８４）。とじ位置を無視して常に右めくりで表示する場合を、パターン８６で示す。
【００２５】
図５及び図６に、表面から裏面へめくる場合の画像の変化を示す。図５において、原稿は長辺左とじであり、とじ軸をＸ軸、他端をＡ軸として示す。図５Ａは表面の画像で、ユーザのタッチで裏面へのめくりを開始する（図５Ｂ）。表面の画像を右方向へスライドすると共に、このスライド距離に対応して裏面の画像が右方向から左方向へとスライドしていく（図５Ｂ、図５Ｃ）。図５Ｄは、裏面の左半分が見える状態までめくったことを示す。図５Ｂ，図５Ｃでは表面と裏面とを共に表示するが、図５Ｄからは表面は裏面に隠れて裏面のみの表示になり（図５Ｅ）、裏面が左方向にスライドして裏面１ページ分を表示する（図５Ｆ）。なお、図５ＣでのＰ及びＱは、図７で説明するように、図５Ｃの時点でのＸ軸及びＡ軸のスライド距離である。
【００２６】
図６では原稿は短辺上とじであり、とじ軸をＹ軸、他端をＢ軸として示す。図６Ａは表面の画像で、ユーザのタッチで裏面へのめくりを開始する（図６Ｂ）。表面の画像を下方向へスライドすると共に、スライドして表示されなくなった表面の替わりに裏面の上部が現れて上方向へとスライド移動し（図６Ｂ、図６Ｃ）、表面と裏面とを同時に表示している。そして図６Ｄで、裏面の上半分が見えて表面は裏面に隠れている状態を示し、さらに裏面の画像が上方向へスライドして裏面１ページ分を表示する（図６Ｅ，図６Ｆ）。
【００２７】
図７に、実施例の表示画面上での、表面と裏面との表示領域の関係を示す。ここでは図５に示すように、長辺左とじの場合、Ｘ軸が短辺上を右方向へスライドすると共に、Ａ軸が短辺上を左方向へスライドする。また、Ｘ軸はＡ軸よりも速くスライドする。そして図７での縦軸に表示領域を示し、横軸にスライド時間を示す。また横軸のａ〜ｆの時点はそれぞれ図５Ａ〜図５Ｆに対応し、それぞれの時点での表示領域を示す。例えばａ点では、表面１ページ分、すなわちＸ軸からＡ軸までの領域がすべて表示されており、Ｘ軸が距離Ｐを、Ａ軸が距離Ｑをそれぞれスライドした場合、時間ｃの時点で表面の表示がΔＰ分減少したが、裏面の表示がΔＱ分増加したことを示す。そしてｆ点に到達することにより、表面の表示が消えて裏面がほぼ１ページ分表示されることを示す。
【００２８】
画像生成部４２は、両面プリントする原稿の表面と裏面との画像をＲＡＭ４４から読み出し、図７の表示領域に示すように所定時間毎に複数の画像を生成して表示画面７０に表示する。すなわち、Ｘ軸の右方向へのスライドとＡ軸の左方向へのスライドとに伴い、表面と裏面との表示領域が動的に変化する状態を表示するので、ユーザはページめくりを動的なプレビューでリアルに見ることができる。なお、Ｘ軸及びＡ軸の速度は及び表示画面上の余白などは、自在に定めることができる。
【００２９】
図８に、めくられた部分に影を付加する場合を示す。例えば表面をめくって裏面を表示する場合、めくり状態の画像をリアルに表現するため、めくられた部分８７の表面との境界線８８付近に、影領域９０を設ける。表面での相対明度を１００とし境界線８８での相対明度を３０とした場合の、明度の変化を（Ａ）に示す。さらに（Ｂ）に示すように、ｇをｇ’の位置に移して［ｈ−ｇ］から［ｈ−ｇ’］へ、境界線８８付近の画像を圧縮して表示することを、追加しても良い。影領域の明度と明度の変化、及び画像の圧縮部分は、めくられた部分８７がスライドして増加するのに従って変化させ、画像を立体的に表示しても良い。
【００３０】
図９に、ＬＣＤ３５の表示画面に、両面プリント時の表面と裏面とをプレビュー表示するためのプレビュー表示域９２と、プリント対象の画像をサムネイル表示して選択させるためのサムネイル表示域９４とを設けた変形例を示す。図９では、プレビュー表示域９２に、画像を１ページ分表示するための表示画面７０を設ける。両面プリント対象の複数の画像をサムネイル表示し、ユーザはサムネイル表示された例えば４枚の画像９６から両面プリントする画像を選択できる。実施例では、サムネイル画像９６を奇数ページ毎に表示し、例えばユーザが７ページのサムネイル画像９６にタッチすることにより、その表面をプレビュー表示域９２に表示する。
【００３１】
そして表示された画像にタッチすることにより、裏面の８ページの画像をプレビュー表示する。ここで、表示された画像の左側をタッチすると原稿の左側がめくれるようにしても良い。またサムネイル画像９６の右端などへのタッチで、裏面の８ページの画像をサムネイル表示域９４あるいはプレビュー表示域９２に表示しても良い。ここでの裏面表示は、図５などに示したように、めくる様子を動的に表示する。なお、ボタン１００，１１０は次ページを表示するためのボタンで、ボタン１２０，１３０は、サムネイル画像をスクロールして画像を選択するためのボタンである。
【００３２】
なお実施例では、ユーザが表示された画像へタッチして表面から裏面へ、あるいは裏面から表面へのめくり動作の表示を開始するが、めくりボタンをプレビュー表示域９２に設けるなどしても良い。また、めくり動作の途中で画像にタッチした場合、めくりを中止して元の面へと戻すめくり返しを表示するようにしても良い。例えば表面から裏面へめくる途中の画像が表示されているときに、ユーザが表示画面にタッチすれば、表面から裏面へのめくり動作を止め、裏面から表面へと戻す様子をプレビューしても良い。
【００３３】
実施例では、以下の効果が得られる。
１．画像の両面プリント時に、１ページ分の表示画面上で表面全体と裏面全体とを表示すると共に、表面から裏面へめくる様子を動的に表示できる。そのためプリント前に出力結果が分かりやすい。
２．めくる状態は、実際の紙を曲げながらめくる上げるように、一連の動作を連続的に表示するので、ユーザは、プリント後の原稿を実際にめくっているイメージをリアルに捉えることができる。
３．１ページ分の表示画面上でプレビューするので、小さな表示画面であってもめくり状態の様子を確認できる。
４．めくり返した部分に影を付加し、立体的に表示できる。この影領域の明度及び明度の変化は、めくられた部分のスライドに従い変化できる。めくられた部分の、表面との境界線付近の画像を、圧縮して表示しても良い。
５．表面から裏面へのめくりの方向、及び裏面から表面へのめくりの方向は、原稿のとじ位置とは反対側として、ページのめくりをリアルに表示できる。
６．ユーザは、サムネイル画像から両面プリントする画像を選択できる。そしてサムネイル画像から選択した画像の表面と裏面とのめくる様子をプレビューできる。
【符号の説明】
【００３４】
２                  複合機
４                  ＬＡＮ
６                  メールサーバ
８                  ルータ
１０                インターネット網
１２                パーソナルコンピュータ
１４                プリンタ
２０                主制御部
２２                ＬＡＮインターフェース
２４                Ｇ３ファクシミリ機能処理部
２６                インターネットファクシミリ機能処理部
２８                スキャナ機能処理部
３０                プリンタ機能処理部
３２                コピー機能処理部
３４                タッチパネル
３５                ＬＣＤ
３６                入力部
３８                画像取得部
４０                画像記憶制御部
４２                画像生成部
４４                ＲＡＭ
４６                ＲＯＭ
５０                表面／裏面のプレビュー画像の表示プログラム
５２                ユーザの入力を受け付けるための命令
５４                表面／裏面及びページめくりの様子のプレビュー画像を生成して表示するための命令
５６                表面と裏面の画像を生成して表示するための命令
５８                ページのめくり状態を動的に表示するための命令
６０                めくられた部分に影を付加するための命令
６２                プリント対象の画像をサムネイル表示するための命令
６４                原稿
６６                原稿の表面
６８                原稿の裏面
７０                表示画面
７２                表面の画像
７４                裏面の画像
７６                めくり領域
７８                画像がスライドした後に生じる空白部分
８０〜８６          めくり状態のパターン
８８                裏面へのめくり領域の、表面との境界線
９０                影領域
９２                プレビュー表示域
９４                サムネイル表示域
９６                サムネイル画像
１００，１１０        ページめくりボタン
１２０，１３０      サムネイル画像のスクロールボタン
【図１】
2010167698.tif 000003
【図２】
2010167698.tif 000004
【図４】
2010167698.tif 000005
【図７】
2010167698.tif 000006
【図８】
2010167698.tif 000007
【図９】
2010167698.tif 000008
【図３】
2010167698.tif 000009
【図５】
2010167698.tif 000010
【図６】
2010167698.tif 000011